(57)【要約】      （修正有）【課題】しおりと図書カードを兼用することができるしおりカードを提供する。【解決手段】しおりカード１００は、書籍に挿入され目印するためのカード媒体である。その表面には、当該カードを一意に識別するための図形である識別図形１０２が付与されている。この識別図形１０２は、たとえば、１次元または２次元バーコード等であってもよい。しおりカード１００のコーナーにはパンチ穴１０４が穿孔され、リボン１０６が結わえられている。しおりカード１００は、キャッシュカードや名刺などのサイズであることが好ましく、厚みは１８０μｍ〜２５０μｍ程度である。また、しおりカード１００の材質はＰＥＴであることが好ましい。【選択図】図１
0003150141.tif 000002
【実用新案登録請求の範囲】
【請求項１】
表面に、当該カードを一意に識別するための図形である識別図形が付与されていることを特徴とするしおりカード。
【請求項２】
前記識別図形は基本図形を複数個配置することにより形成され、前記基本図形の配置方法により一意に識別される図形であることを特徴とする請求項１に記載のしおりカード。
【請求項３】
コーナー部分にパンチ穴が穿孔され、前記パンチ穴にリボンが結ばれていることを特徴とする請求項１または２に記載のしおりカード。
【請求項４】
当該しおりカードの厚みは、１８０μｍ以上２５０μｍ以下であることを特徴とする請求項１から３のいずれかに記載のしおりカード。
【請求項５】
当該しおりカードの材質は、ポリエチレンテレフタラート(Polyethylene terephthalate)であることを特徴とする請求項１から４のいずれかに記載のしおりカード。
【考案の詳細な説明】
【技術分野】
【０００１】
本考案は、目印のために書籍に挿入されるしおり（栞）、に関する。
【背景技術】
【０００２】
図書館は、その利用者に図書カードを発行する。図書館の司書は、図書カードに印刷されているバーコードから読み取られる会員ＩＤに基づいて貸本管理する。利用者の氏名、住所等の個人情報は会員ＩＤと関連づけられてデータベースに登録される。
【０００３】
利用者は、一度に何冊もの本を借りることもある。どの本のどこを読んでいたかを把握するためには「しおり」が利用されることも多い。しおりは、短冊状の紙製のものであったり、金属製、植物の葉によるものなど様々である。
【先行技術文献】
【特許文献】
【０００４】
【特許文献１】特開２００８−１８３８９３号公報
【考案の開示】
【考案が解決しようとする課題】
【０００５】
利用者は、本を借りるために来館したときに図書カードの提示を求められるが、不注意により携帯しないまま来館してしまうこともある。図書カードは、携帯の便宜のため、財布やカードケースに収まるサイズであることが多い。しかし、財布等の収納スペースは限られているため、使用頻度の低い図書カードを財布等に常備しておくことは、利用者にとって不便である。
【０００６】
また、図書館で本を借りて、帰りの電車等ですぐに読み始める場合、しおりを持ち合わせていなければ不便である。本考案者は、図書館で本を借りたときにはすぐにしおりが手元にあれば、利用者にとって便利であると想到した。
【０００７】
本考案は、本考案者による上記課題認識に基づいて完成された考案であり、その主たる目的は、利便性の高い図書カードを提供すること、である。
【課題を解決するための手段】
【０００８】
本発明のある態様は、カード型のしおりに関する。このしおりの表面には、しおりを一意に識別するための図形である識別図形が付与されている。このしおりは、図書カードとして機能してもよい。この識別図形は、バーやドットのような基本図形の配置方法により識別される図形であってもよい。
【０００９】
しおりとしての機能性を高めるため、しおりのコーナー部分にはパンチ穴を穿孔し、これにリボンを結わえてもよい。しおりの材質はＰＥＴ(Polyethylene terephthalate)、厚みは１８０μｍ〜２５０μｍ程度であることが、利便性、耐久性の面から好適である。
【考案の効果】
【００１０】
本考案によれば、一枚一枚のしおりを一意に識別できる。
【図面の簡単な説明】
【００１１】
【図１】第１実施形態におけるしおりカードの外観図である。
【図２】第２実施形態におけるしおりカードの外観図である。
【考案を実施するための最良の形態】
【００１２】
以下、本実施形態におけるしおりカードの外観について、添付図面を参照しながら、本考案の好ましい実施の形態について詳細に説明する。
【００１３】
図１は、第１実施形態におけるしおりカードの外観図である。本実施形態に示す「しおりカード」は、「図書カード」としての機能と「しおり」としての機能を兼備するカードである。本実施形態におけるしおりカード１００の形状は、略長方形である。しおりカード１００の角は、同図に示すように丸みをもたせてもよいし、もたせなくてもよい。安全性を考慮すれば、しおりカード１００の角に丸みをもたせる方が好ましい。
【００１４】
しおりカード１００のサイズは、ＩＳＯ７８１０のＩＤ−１（８５．６０ｍｍ ×５３．９８ ｍｍ）規格に合致したいわゆるカードサイズであることが好ましい。この規格は、クレジットカードや銀行のキャッシュカード、国際免許証のサイズとして一般的である。あるいは、名刺サイズであってもよい。具体的には、日本において一般的な４号名刺サイズ（９１ｍｍ×５５ｍｍ）や、欧米で一般的な名刺サイズ（８９ｍｍ×５１ｍｍ）におさまるサイズであってもよい。いずれにしても、しおりカード１００は、財布やカードケース等に収まるサイズであることが好ましい。しおりカード１００のサイズを上記サイズに規定することにより、しおりカード１００の携帯性を高めやすくなる。
【００１５】
本実施形態におけるしおりカード１００の材質は、ＰＥＴである。別例として、たとえば、ポリ塩化ビニル（PVC:Polyvinyl Chloride）など他のポリエチレン系樹脂であってもよいし、それ以外の合成樹脂であってもよい。少なくとも、ある程度の剛性や弾性を有する材質であることが、しおりカード１００の携帯性や耐久性を高める上で好ましい。
【００１６】
しおりカード１００は薄いほど本に挟みやすいが、薄すぎると折れ曲がったり破損しやすくなるため、耐久性の面から見ると好ましくない。反対に、厚みをもたせるほど耐久性を高めやすいが、しおりカード１００の厚みによって本に「嵩張り」が生じるため利便性の面から見ると好ましくない。耐久性と利便性のバランスに考慮すれば、ＰＥＴ製のしおりカード１００の厚みは、１８０μｍ〜２５０μｍの範囲に収まることが好ましい。
【００１７】
しおりカード１００のコーナー部分には、パンチ穴１０４が穿孔されている。そして、このパンチ穴１０４にはリボン１０６が結わえられている。しおりカード１００が本に挿入されたとき、このリボン１０６が本から飛び出る形となるため、しおりカード１００が本に埋没してもリボン１０６が目印として残りやすい。また、しおりカード１００の材質がＰＥＴであることから、よほどの力を加えない限りパンチ穴１０４の部分でしおりカードが破損することはない。なお、リボン１０６は、しおりカード１００に貼付されてもよい。
【００１８】
第１実施形態におけるしおりカード１００の場合、一方の短辺側に識別図形１０２が印刷されている。この識別図形１０２は、バーコードであってもよいし、ＱＲコード（登録商標）などの２次元コードであってもよい。識別図形１０２は、バーコードやＱＲコード（登録商標）に限らず、所定の太さのバーや所定の大きさのドットといった基本図形を配置方法により、一意に識別される図形であればよい。たとえば、バーコードであれば、所定太さのバーを複数個配列するときの配列方法により、その一意性、すなわちＩＤが表現される。ＱＲコード（登録商標）であれば、所定の大きさの方形ドットを複数個配列するときの配列方法により、その一意性、すなわちＩＤが表現される。このほかにも、識別図形１０２は、数字列や文字列、あるいはキャラクターの絵柄など、一枚一枚のしおりカード１００を一意に識別可能な図形であればよい。識別図形１０２は、しおりカード１００の表面に印刷または刻印される。一枚一枚のしおりカード１００には別々の識別図形１０２が付与されるため、識別図形１０２によりしおりカード１００を区別できる。以下、識別図形１０２とはバーコードであるとして説明する。
【００１９】
識別図形１０２からは、ＯＣＲ（Optical Character Recognition）により「識別情報」を読み取ることができる。本実施形態における識別情報とは会員ＩＤであるが、それ以外の情報であってもよい。しおりカード１００には、識別情報以外にも、図書館名や有効期限等の所定情報が印刷されてもよい。
【００２０】
図２は、第２実施形態におけるしおりカードの外観図である。第２実施形態におけるしおりカード１００の場合、一方の長辺側に識別図形１０２が印刷されているが、他の構成については第１実施形態におけるしおりカード１００と同様である。たとえば、横長の本の場合には、第１実施形態における縦長のしおりカード１００よりも、第２実施形態における横長のしおりカード１００の方が、本に挿入したときに安定しやすい。第１実施形態と第２実施形態の組み合わせとして、しおりカード１００の表面側は第１実施形態に示す位置、裏面側は第２実施形態に示す位置にそれぞれ識別図形１０２を印刷してもよい。
【００２１】
本実施形態におけるしおりカード１００の識別図形１０２には会員ＩＤが設定されている。図書館の司書は、従来と同じく、しおりカード１００から会員ＩＤを読み取ることにより、貸本管理を行う。従来と異なる点は、会員はしおりカード１００を「図書カード」としてだけでなく、「しおり」としても利用できる点にある。
【００２２】
「しおり」としての機能をもたない従来の図書カードの場合、図書カードを利用する場面は本の貸し出し時と返却時のみである。したがって、それ以外の時間において、図書カードは財布等に常備されたままとなりがちである。
【００２３】
これに対し、「しおり」としての機能と「図書カード」としての機能を兼備する本実施形態のしおりカード１００の場合、本の貸し出しを受けてから返却するまでの期間においても、しおりカード１００は「しおり」としての役割を果たす。すなわち、本の貸し出しを受けたあとは、しおりカード１００を本に挟んで「しおり」として使用し、しおりカード１００を挟んだままの状態で本を返却すればよい。本を借りている期間も、しおりカード１００を財布等にしまう必要がない。いいかえれば、本に対するしおりカード１００の役割が従来型の図書カードに比べて一体化しやすいため、来館時にしおりカード１００だけを忘れてしまうという事態が発生しにくくなる。
【００２４】
そのほかにも、しおりカード１００に識別性を持たせることにより、さまざまなサービスを提供可能である。たとえば、他の情報源へ誘導するための識別情報をしおりカード１００の識別図形１０２に付与、または、対応づけてもよい。まず、広告主は、広告対象商品を紹介するためのウェブサイトを開設する。次に、このウェブサイトのＵＲＬ（Uniform Resource Locator）が設定された識別図形１０２をしおりカード１００に印刷する。広告主は、しおりカード１００を店頭で販売されている本に挿入しておく。本の購入者がしおりカード１００の識別図形１０２にアクセスすると、広告主のウェブページを携帯電話やＰＣ（Personal Computer）に表示させることができる。
【００２５】
このような態様によれば、しおりカード１００を介して、本の購入者を広告主のウェブサイトに誘導しやすくなる。たとえば、保険会社が、保険指南本に対して、自社ウェブサイトへ誘導するためのしおりカード１００を挿入しておいてもよい。このような本の購入者は保険に興味のある顧客層であると考えられるため、広告効果を高めやすい。しおりカード１００自体に保険広告を印刷するのではなく、しおりカード１００の識別図形１０２を介して広告に誘導するため、小さなしおりカード１００であっても十分な広告情報を提供できる。また、本のＩＤも識別図形１０２に設定しておき、購入者がウェブサイトへアクセスするときに本のＩＤをウェブサイトに送信させれば、どのような本の購入者が広告にアクセスしてきているかを計測できる。このため、広告効果を測定しやすくなる。
【００２６】
更に別の応用例として、書店主が、取り扱い書籍を紹介するためのウェブサイトを開設しておく。しおりカード１００の識別図形１０２には、このウェブサイトのＵＲＬだけでなく、しおりカード１００が挿入される本の著者名やテーマ分類等も設定される。本の購入者は、このしおりカード１００を介して上記ウェブサイトにアクセスすると、購入した本と同一著者や同一テーマの本の一覧を見ることができる。このような態様によれば、本の販促効果を高めるだけでなく、購入者にとっても利便性の高いサービスを提供できる。
【００２７】
以上、実施形態に基づいてしおりカード１００を説明した。本実施形態におけるしおりカード１００によれば、識別図形１０２によりしおりカード１００に「個性」を持たせることができるため、さまざまな新サービスを提供しやすくなる。特に、しおりカード１００に「しおり」としての機能と「図書カード」としての機能を兼備させることにより、図書館側の利便性を確保しつつ、会員側の利便性を高めることができる。
【００２８】
識別図形１０２は、バーコードやＱＲコード（登録商標）等であってもよいが、これらに限られるものではなく、しおりカード１００としての識別性を発揮できる図形であればよい。識別図形１０２により示される識別情報は、所定のデータベースにおいて、本のタイトル、著者名、出版社名、発行年月日といったさまざまな本の属性と対応づけられてもよい。あるいは、しおりカード１００の所有者の氏名、性別、住所、職業、ブログのＵＲＬ等、所有者の属性と対応づけられてもよい。後者の場合には、しおりカード１００に名刺としての役割を持たせることもできる。
【００２９】
所定情報源へ誘導するための識別図形１０２が付与されたしおりカード１００は、さまざまな人の手に渡って繰り返し再利用されるという使い方が想定される。そこで、その材質や厚み、大きさをそれぞれ上述の通りに設計することにより、携帯しやすく再利用しやすい、利便性の高いしおりカード１００を提供できる。
【符号の説明】
【００３０】
１００  しおり、１０２  識別図形、１０４  パンチ穴、１０６  リボン。
【図１】
0003150141.tif 000003
【図２】
0003150141.tif 000004